(57)【特許請求の範囲】
【請求項１】
電子部品収納凹部及び嵌合接続凹部を有するケースと、前記電子部品収納凹部に収納されるとともに一対のリードが前記嵌合接続凹部にのびる電子部品と、前記嵌合接続凹部に収納され一方の前記リードに接触する中継端子と、前記嵌合接続凹部に収納され他方の前記リードに接触するとともにアース部を有してなる金属製のアース端子と、電線側端子及びカバー部材を有しこれらを電線の中間に取り付けてなるとともに前記電線側端子が前記中継端子に接触し且つ前記カバー部材が前記嵌合接続凹部に嵌合するカバー組付電線とを含む電子部品内蔵ユニットにおいて、
前記カバー部材は、
前記電線側端子を係止するとともに、前記ケースに対して嵌合するように形成し、天井壁と、該天井壁に連続する相対する側壁とを有し、該側壁の内側が電線収納部となるように形成してなり、
前記一方の側壁には、前記カバー部材の内部に挿入された電線側端子を係止する可撓性を有するアーム状に形成され、前記電線側端子を係止する過程においては外側に撓み、係止後には元の位置に戻る係止突起が形成されてなり、
前記カバー部材の内部に、
前記一方の側壁内面に連成され、前記カバー部材の天井壁の内面から該カバー部材の開口部分まで真っ直ぐにのびるように前記係止突起の近傍に形成され、前記電線が当接するとこの電線の位置決めをすることができるように形成される第一の電線位置決めリブと、
前記他方の側壁内面に連成され、前記第一の電線位置決めリブの対向位置に形成され、前記天井壁の内面から前記カバー部材の開口部分まで真っ直ぐにのびるように形成され、前記電線が当接すると該電線の位置決めをすることができるように形成され、前記カバー部材の内部に前記電線側端子が挿入されると、該電線側端子の前端が当接可能となるように形成される第二の電線位置決めリブと
を形成するとともに、
前記ケースは、底壁と、該底壁の縁部に形成される側壁とによって囲まれて形成し、
前記ケースの内部には、隔壁によって隔てられて前記電子部品を収納するための凹状の部分として形成される電子部品収納凹部とカバー組付電線が嵌合し電気的な接続が行われる凹状の部分として形成される嵌合接続凹部とが隣接して形成され、
前記電子部品収納凹部と前記嵌合接続凹部とを隔てる前記隔壁には、
前記嵌合接続凹部の内部に突出し、嵌合接続凹部の底壁から開口まで真っ直ぐにのびるように形成し平面視コ字状となるように形成され、前記カバー組付電線が前記嵌合接続凹部に嵌合する過程で前記カバー部材の内部に差し込まれて前記電線の位置を矯正する一対の電線位置矯正リブを形成する
ことを特徴とする電子部品内蔵ユニット。
【請求項２】
請求項１に記載の電子部品内蔵ユニットにおいて、
前記電線位置矯正リブは、前記中継端子と前記電線側端子との接触部分における前記中継端子側の保護壁の端部であり、前記カバー組付電線が前記嵌合接続凹部に嵌合すると、前記電線位置決めリブよりも前記電線側に突出する
ことを特徴とする電子部品内蔵ユニット。
【発明の詳細な説明】
【技術分野】
【０００１】
本発明は、ケース内に電子部品を内蔵して電線の中間に取り付く電子部品内蔵ユニットに関する。
【背景技術】
【０００２】
例えば、自動車等に装備される各種センサ等では、ホーンやワイパモータのような高周波成分を持った雑音源からの伝導ノイズや、ネオンサイン等からの外来ノイズや、誘導ノイズ等が電線を伝わって入力されることがあり、これによって誤作動を引き起こしてしまうという恐れを有している。上記のノイズを除去するためとしては、電子部品内蔵ユニット（ノイズ防止具）の開発が進められている。
【０００３】
図８において、引用符号１は電線を示している。また、引用符号２は電線１の中間３に接続される電子部品内蔵ユニットを示している。電子部品内蔵ユニット２は、電子部品収納凹部及び嵌合接続凹部を有するケース４と、ヒンジ５を介してケース４に連成され、電子部品収納凹部を覆う収納凹部カバー６と、この収納凹部カバー６に形成され、取付相手先に係止される樹脂係止部７と、電子部品収納凹部に収納されるとともに、一対のリード８ａ、８ｂが嵌合接続凹部にのびる電子部品９と、嵌合接続凹部に収納され、一方のリード８ａに接触する中継端子１０と、嵌合接続凹部に収納され、他方のリード８ｂに接触するとともに、嵌合接続凹部から突出する部分がアース部１１として形成される金属製のアース端子１２と、電線側端子１３及びカバー部材１４を有して電線１の中間に取り付くとともに、電線側端子１３が中継端子１０に接触し、且つカバー部材１４が嵌合接続凹部に嵌合するカバー組付電線１５とを含んで構成されている。
【０００４】
電子部品内蔵ユニット２は、樹脂係止部７とアース部１１との間に、嵌合接続凹部とこれに嵌合するカバー部材１４とが位置するように形成されている。カバー部材１４と嵌合接続凹部は、引用符号１６のカバー側嵌合部と、引用符号１７の突起係止部とで嵌合するように形成されている。
【０００５】
電子部品内蔵ユニット２は、車両への取り付けの際に、先ず樹脂係止部７を取付相手先の金属製の座面に挿入して仮固定をし、次にアース端子１２のアース部１１をネジで締め付けて接続することにより全体の取り付け固定が完了するようになっている。
【０００６】
尚、電子部品内蔵ユニット２に関する技術としては、例えば下記特許文献１の開示技術が参考になる。
【特許文献１】特開２００６−１０９５８７号公報
【発明の開示】
【発明が解決しようとする課題】
【０００７】
ところで、上記電子部品内蔵ユニット２にあっては、カバー組付電線１５を嵌合接続凹部に嵌合させる際に、電線１がカバー部材１４の内部において位置ズレしていたりすると、この位置ズレした電線１が嵌合接続凹部に取り付けられた中継端子１０に接触する可能性があり、場合によっては電線傷が生じてしまうという問題点を有している。
【０００８】
本発明は、上述した事情に鑑みてなされたもので、電線傷を防止することが可能な電子部品内蔵ユニットを提供することを課題とする。
【課題を解決するための手段】
【０００９】
上記課題を解決するためになされた請求項１記載の本発明の電子部品内蔵ユニットは、電子部品収納凹部及び嵌合接続凹部を有するケースと、前記電子部品収納凹部に収納されるとともに一対のリードが前記嵌合接続凹部にのびる電子部品と、前記嵌合接続凹部に収納され一方の前記リードに接触する中継端子と、前記嵌合接続凹部に収納され他方の前記リードに接触するとともにアース部を有してなる金属製のアース端子と、電線側端子及びカバー部材を有しこれらを電線の中間に取り付けてなるとともに前記電線側端子が前記中継端子に接触し且つ前記カバー部材が前記嵌合接続凹部に嵌合するカバー組付電線とを含む電子部品内蔵ユニットにおいて、
前記カバー部材は、
前記電線側端子を係止するとともに、前記ケースに対して嵌合するように形成し、天井壁と、該天井壁に連続する相対する側壁とを有し、該側壁の内側が電線収納部となるように形成してなり、
前記一方の側壁には、前記カバー部材の内部に挿入された電線側端子を係止する可撓性を有するアーム状に形成され、前記電線側端子を係止する過程においては外側に撓み、係止後には元の位置に戻る係止突起が形成されてなり、
前記カバー部材の内部に、
前記一方の側壁内面に連成され、前記カバー部材の天井壁の内面から該カバー部材の開口部分まで真っ直ぐにのびるように前記係止突起の近傍に形成され、前記電線が当接するとこの電線の位置決めをすることができるように形成される第一の電線位置決めリブと、
前記他方の側壁内面に連成され、前記第一の電線位置決めリブの対向位置に形成され、前記天井壁の内面から前記カバー部材の開口部分まで真っ直ぐにのびるように形成され、前記電線が当接すると該電線の位置決めをすることができるように形成され、前記カバー部材の内部に前記電線側端子が挿入されると、該電線側端子の前端が当接可能となるように形成される第二の電線位置決めリブと
を形成するとともに、
前記ケースは、底壁と、該底壁の縁部に形成される側壁とによって囲まれて形成し、
前記ケースの内部には、隔壁によって隔てられて前記電子部品を収納するための凹状の部分として形成される電子部品収納凹部とカバー組付電線が嵌合し電気的な接続が行われる凹状の部分として形成される嵌合接続凹部とが隣接して形成され、
前記電子部品収納凹部と前記嵌合接続凹部とを隔てる前記隔壁には、
前記嵌合接続凹部の内部に突出し、嵌合接続凹部の底壁から開口まで真っ直ぐにのびるように形成し平面視コ字状となるように形成され、前記カバー組付電線が前記嵌合接続凹部に嵌合する過程で前記カバー部材の内部に差し込まれて前記電線の位置を矯正する一対の電線位置矯正リブを形成することを特徴としている。
【００１０】
このような特徴を有する本発明によれば、カバー部材の内部において電線の位置がズレずに安定する。嵌合接続凹部にカバー組付電線が嵌合する前の状態において、電線は電線位置決めリブによって所定の位置となる。また、本発明によれば、嵌合接続凹部にカバー組付電線が嵌合する過程において、電線位置がカバー部材の内部で仮にズレていたとしても、或いは、嵌合の過程でズレが生じたとしても、このズレは電線位置矯正リブによって矯正される。従って、電線は中継端子に接触することはない。
【００１１】
請求項２記載の本発明の電子部品内蔵ユニットは、請求項１に記載の電子部品内蔵ユニットにおいて、前記電線位置矯正リブは、前記中継端子と前記電線側端子との接触部分における前記中継端子側の保護壁の端部であり、前記カバー組付電線が前記嵌合接続凹部に嵌合すると、前記電線位置決めリブよりも前記電線側に突出することを特徴としている。
【００１２】
このような特徴を有する本発明によれば、電線位置矯正リブは中継端子の一部を保護する保護壁としての機能を有する。また、電線位置矯正リブは、電線位置決めリブよりも電線側に突出することから、電線をより確実に中継端子と電線側端子との接触部分から遠ざける機能を有する。
【発明の効果】
【００１３】
請求項１に記載された本発明によれば、電線傷を防止することができるという効果を奏する。また、請求項２に記載された本発明によれば、電線傷を防止するためのより良い電線位置矯正リブの形態を提供することができるという効果を奏する。
【発明を実施するための最良の形態】
【００１４】
以下、図面を参照しながら説明する。図１は本発明の電子部品内蔵ユニットの一実施の形態を示す斜視図である。また、図２は電子部品内蔵ユニットの構成を示す分解斜視図、図３はカバー組付電線の斜視図、図４はユニット本体の斜視図、図５はカバー組付電線が嵌合接続凹部に嵌合する過程においての電線位置決めリブと電線位置矯正リブとを示す断面図、図６はカバー組付電線が嵌合接続凹部に嵌合した状態のユニット本体の縦断面図、図７はカバー組付電線が嵌合接続凹部に嵌合した状態のユニット本体の横断面図である。
【００１５】
図１及び図２において、引用符号２１は既知の電線を示している。また、引用符号２２は電線２１の中間２３に接続される電子部品内蔵ユニットを示している。電子部品内蔵ユニット２２は、予め電線２１の中間２３に取り付けてなるカバー組付電線２４と、このカバー組付電線２４の嵌合により電気的な接続がなされるユニット本体２５とを備えて構成されている。
【００１６】
カバー組付電線２４は、電線２１の他に電線側端子２６とカバー部材２７とを有している。また、このカバー組付電線２４が嵌合するユニット本体２５は、ケース２８と、電子部品２９と、中継端子３０と、アース端子３１と、クランプ３２とを備えて構成されている。以下、図１ないし図７を参照しながら上記の各構成について説明する（構成の説明の後に組み付けについて説明する）。
【００１７】
本形態の説明において、特に限定するものではないが、電線２１は自動車等の車両に配索されるようになっている（車両以外にも適用可能であるものとする）。また、電子部品内蔵ユニット２２は、車両ボディの所定の座面に対して係止・固定されるようになっている。
【００１８】
図１及び図２において、電線２１は、ワイヤハーネスを構成する複数の電線のうちの一本、又は単独の電線であって、導体と、この導体を被覆する絶縁性の被覆部とを備えて構成されている。このような電線２１の中間２３には、電線側端子２６が電気的に接続されている。
【００１９】
図２及び図３において、電線側端子２６は、導電性を有する金属からなり、上記導体に直接接続される電線接続部３３と、この電線接続部３３の前側に連続する電気接触部３４とを有している。引用符号３５は電線側端子２６の底部分（底）を示している。電線接続部３３は、電線２１の中間２３を皮剥ぎして露出させた上記導体を加締める一対の導体加締め片３６と、上記被覆部を加締める一対の被覆加締め部３７とを有している。
【００２０】
電気接触部３４は、基部３８と、この基部３８の一方の側部に連成される接続タブ３９（端子接触部）と、基部３８の他方の側部に連成される係止部４０とを有している。電気接触部３４は、折り曲げ加工によって形成されている。基部３８と接続タブ３９と係止部４０は、折り曲げ加工によりコ字状の形状に形成されている。接続タブ３９と係止部４０との間には、電線２１が貫通するようになっている。基部３８には、カバー部材２７に対する位置決め用の貫通孔４１が形成されている。貫通孔４１は、基部３８の中央に形成されている。
【００２１】
係止部４０の先端には、係止用の凹部４２が形成されている。凹部４２は、電線側端子２６がカバー部材２７から抜け落ちないようにするための部分として形成されている。このような係止部４０の前側には、位置決め壁４３が形成されている。この位置決め壁４３は、凹部４２よりも前に形成されている。接続タブ３９は、タブ状であって、ユニット本体２５の中継端子３０に差し込まれて電気的な接続を行う部分として形成されている。
【００２２】
電線側端子２６は、電線２１の中間２３との接続をした状態で、この底部分３５側からカバー部材２７の内部に挿入されるようになっている。そして、カバー部材２７に対して係止されると脱落が生じないようになっている。
【００２３】
図２及び図３において、カバー部材２７は、絶縁性を有する合成樹脂製の部材であって、電線側端子２６を係止するとともに、ユニット本体２５のケース２８に対して嵌合するような形状に形成されている。カバー部材２７は、天井壁４４と、この天井壁４４に連続する側壁とを有している。側壁に関しては、この側壁の内側が電線収納部４５となるように形成されている。また、側壁に関しこの外側は（側壁自体は）、ケース２８に差し込まれる際にガイドとして機能するケース挿入ガイド部４６となるように形成されている。
【００２４】
この他、側壁には、係止突起４７が形成されている。また、側壁には、略突起状のカバー側嵌合部４８が複数形成されている。このカバー側嵌合部４８は、ケース２８に嵌合するように形成されている。係止突起４７は、カバー部材２７の内部に挿入された電線側端子２６を係止する部分として形成されている。係止突起４７を有する側壁部分は、図３に示す如く、略コ字状のアームとなるように形成されている。この略コ字状のアームは、可撓性を有するように形成されており、係止突起４７で電線側端子２６を係止する過程においては外側に撓み、係止後には元の位置に戻るようになっている。
【００２５】
尚、電線側端子２６が係止されずにカバー部材２７への挿入が途中で終わってしまうような端子半挿入状態においては、上記アームが外側に撓んだままの状態になってしまうことから、カバー部材２７をケース２８に嵌合させようとしても上記アームの先端がケース２８（後述する嵌合接続凹部５５の開口縁部となる側壁５７の端部）に当接してしまい、嵌合を行うことができないようになっている（上記アームとケース２８は、端子半挿入状態を検知する部分としての機能を有している）。
【００２６】
電線側端子２６が完全に係止される正規の状態においては（上記アームは元の位置に戻っている）、カバー部材２７をケース２８に嵌合させると、上記アームの外側への撓みはケース２８によって阻止されるようになっている。電線側端子２６の係止状態は、カバー部材２７がケース２８に嵌合した後も良好に維持されるようになっている。
【００２７】
上記アームに関して補足すると、上記コ字状となる形状は一例であるものとする。すなわち、一本の片持ち形状のアーム（例えば、図８のカバー部材１４のアーム（符号省略）など）に形成しても当然によいものとする。電線側端子２６が係止されずに挿入が途中の状態となる時に、外側に撓むような形状であれば特に限定されないものとする。
【００２８】
さらに、側壁には、電線２１を圧入状態で支持する一対のＵ字状の電線支持部４９が形成されている（電線２１の支持は圧入状態が好ましいが、カバー部材２７を取り付けた時に、電線２１の水平状態を保つことができるのであれば、これ以外の構造であっても良いものとする。電線２１の曲がりや斜め挿入等の防止に寄与することが好ましい）。
【００２９】
図２、図３、及び図７において、カバー部材２７の内部には、第一の電線位置決めリブ５０と、壁差込溝５１と、第二の電線位置決めリブ５２とが形成されている。第一の電線位置決めリブ５０と壁差込溝５１は、係止突起４７が存在する側の側壁内面に連成されている（係止突起４７が存在する側の側壁を一方の側壁と定義する）。
【００３０】
第一の電線位置決めリブ５０と壁差込溝５１は、係止突起４７の近傍に形成されている。第一の電線位置決めリブ５０は、天井壁４４の内面からカバー部材２７の開口部分まで真っ直ぐにのびるように形成されている。壁差込溝５１は、第一の電線位置決めリブ５０と一方の側壁との間に形成されている。第一の電線位置決めリブ５０は、壁差込溝５１を形成するために、平面視Ｌ字状の形状に形成されている（カバー部材２７の開口部分を平面視した場合、Ｌ字状に見える）。第一の電線位置決めリブ５０は、電線２１が当接するとこの電線２１の位置決めをすることができるように形成されている。
【００３１】
壁差込溝５１は、電線側端子２６のガタ付きを防止する部分として形成されている。壁差込溝５１には、電線側端子２６の位置決め壁４３が差し込まれるようになっている。壁差込溝５１は、仮に、ガタ付きとなる力が加わった場合、電線側端子２６との間で噛合いが生じるようになっている。
【００３２】
第二の電線位置決めリブ５２は、上記一方の側壁の反対側となる他方の側壁内面に連成されている。他方の側壁には、電線側端子２６の接続タブ３９に対応する膨出部５３が形成されている。第二の電線位置決めリブ５２は、膨出部５３の近傍に形成されている。また、第一の電線位置決めリブ５０の対向位置に形成されている。第二の電線位置決めリブ５２は、天井壁４４の内面からカバー部材２７の開口部分まで真っ直ぐにのびるように形成されている。
【００３３】
第二の電線位置決めリブ５２は、第一の電線位置決めリブ５０と同様に、電線２１が当接するとこの電線２１の位置決めをすることができるように形成されている。また、第二の電線位置決めリブ５２は、カバー部材２７の内部に電線側端子２６が挿入されると、電線側端子２６の前端が当接可能となるように形成されている。第二の電線位置決めリブ５２は、電線側端子２６のガタ付きを防止する部分として機能するようにも形成されている。
【００３４】
図１、図２、及び図４〜図７において、ユニット本体２５のケース２８は、絶縁性を有する合成樹脂製の部材であって、電子部品収納凹部５４と、この電子部品収納凹部５４の隣となる嵌合接続凹部５５とを有している。電子部品収納凹部５４及び嵌合接続凹部５５は、底壁５６と、この底壁５６の縁部に形成される側壁５７と、隔壁５８とにより囲まれて形成されている。電子部品収納凹部５４は、電子部品２９を収納するための凹状の部分として形成されている。嵌合接続凹部５５は、カバー組付電線２４が嵌合し、電気的な接続が行われる凹状の部分として形成されている。電子部品収納凹部５４及び嵌合接続凹部５５は、隔壁５８によって隔てられている。
【００３５】
側壁５７には、係止突起５９や突起係止部６０が形成されている。また、側壁５７には、一対の電線支持部６１が形成されている。突起係止部６０は、カバー組付電線２４を嵌合させるための部分として形成されている。一対の電線支持部６１は、嵌合接続凹部５５の部分にＵ字状に切り欠かれて形成されている。一対の電線支持部６１は、カバー組付電線２４の嵌合の際に電線２１が差し込まれてこれを支持することができるように形成されている。
【００３６】
隔壁５８には、突起係止部６２と、リード支持部６３、６４と、膨出部６５とが形成されている。突起係止部６２は、カバー組付電線２４を嵌合させるための部分として形成されている。リード支持部６３、６４は、電子部品収納凹部５４に収納される電子部品２９の、嵌合接続凹部５５にまでのびるリード６６、６７を支持するために形成されている。リード支持部６３、６４は、スリット状に形成されている。
【００３７】
膨出部６５は、この内側に中継端子３０の後述するタブ接続部６８を収納することができるような形状に形成されている（図４参照）。また、膨出部６５は、カバー組付電線２４が嵌合接続凹部５５に嵌合する際に、カバー部材２７の膨出部５３によって外側が覆われるような形状に形成されている。膨出部６５は、後述するタブ接続部６８に対する保護壁としての機能を有している。
【００３８】
このような膨出部６５は、カバー組付電線２４が嵌合接続凹部５５に嵌合する過程において、電線２１の位置を矯正することができるようになっている。膨出部６５は、一対の電線位置矯正リブ６９を含んで平面視コ字状となる形状に形成されている。一対の電線位置矯正リブ６９は、膨出部６５の端部位置に形成されている（言い換えれば、上記保護壁の端部として形成されている）。一対の電線位置矯正リブ６９は、電線２１を中継端子３０のタブ接続部６８に接触させないようにするための機能（詳細は後述する）を有している。一対の電線位置矯正リブ６９は、嵌合接続凹部５５の底（底壁５６）から開口まで真っ直ぐにのびるように形成されている。
【００３９】
嵌合接続凹部５５の底（底壁５６）には、中継端子３０の位置決めと固定とをするためのピン状の固定部分が形成されている（図示省略）。
【００４０】
図２において、中継端子３０は、導電性を有する金属からなり、バスバー状の固定基板部７０と、この固定基板部７０の一側部に連成されて電線側端子２６の接続タブ３９が差し込まれるタブ接続部６８とを有している。固定基板部７０は、嵌合接続凹部５５の底（底壁５６）に載置固定されるように形成されている。
【００４１】
固定基板部７０には、嵌合接続凹部５５の底に引っ掛かって中継端子３０の脱落を防止する固定爪７１が複数形成されている。また、固定基板部７０には、電子部品２９のリード６７に接触して組み付け時に溶接される凸形状の溶接部７２が形成されている。引用符号７３は嵌合接続凹部５５の上記固定部分に差し込んで位置決めをするための貫通孔を示している。
【００４２】
タブ接続部６８は、箱状に形成されている。タブ接続部６８の内部には、電線側端子２６の接続タブ３９に弾性的に接触する弾性接触片（図示省略）が形成されている。
【００４３】
図１、図２、及び図４において、アース端子３１は、導電性を有する金属からなり、ネジ止め用の貫通孔７４を有するアース部７５と、このアース部７５に連続するととももに、電子部品収納凹部５４の開口部を覆うようなカバーとしての形状に形成される基部７６と、基部７６に連続する接続脚部７７とを有している。
【００４４】
基部７６は、上記の如くカバーの機能を有しており、ケース２８の係止突起５９に引っ掛かるような嵌合部７８、７９が折り曲げによって形成されている。また、基部７６には、車両ボディの上記座面に差し込まれて係止されるクランプ３２を取り付けるためのクランプ着脱部８０が形成されている。基部７６は、電子部品収納凹部５４に収納された後の電子部品２９を押さえつけることができるような形状に形成されている。
【００４５】
嵌合部７８、７９は、略枠状であって、それぞれ基部７６の側部から垂れ下がるように形成されている。嵌合部７８、７９は、ケース２８の係止突起５９を乗り越えるために必要十分な可撓性を有している。クランプ着脱部８０は、基部７６を切り欠くようなスリット状に形成されている。クランプ着脱部８０は、クランプ３２を差し込んだ後、このクランプ３２をスライドさせて固定することができるように形成されている。クランプ着脱部８０は、クランプ３２を差し込む部分が嵌合部７９に連成されている。
【００４６】
接続脚部７７は、嵌合接続凹部５５に差し込まれる部分であって、帯片をＬ字状に折り曲げるようにして形成されている。接続脚部７７のＬ字状に折り曲がる部分には、電子部品２９のリード６６を逃がすようなスリット８１が形成されている。また、嵌合接続凹部５５の底に対応する部分には、リード６６に接触して溶接がなされる凸形状の溶接部８２が形成されている。
【００４７】
図１、図２、図４、及び図６において、クランプ３２は、合成樹脂製の部材であって、アース端子３１に対して着脱自在となる構造であるとともに、車両ボディの上記座面に差し込まれてこの部分に係止される構造になっている。クランプ３２は、係止部としての機能を有している。クランプ３２は、アース端子３１の基部７６に平行な基板８３と、この基板８３の表面に設けられる支柱８４と、可撓性を有し支柱８４に連成される一対の係止羽根８５とを有している。クランプ３２は、車両ボディの上記座面に形成されたクランプ穴に一対の係止羽根８５を差し込んでこの係止羽根８５の各端部を上記クランプ穴の開口縁に引っ掛けることができるようになっている。
【００４８】
図２及び図７において、電子部品２９は、本体８６と、一対のリード６６、６７とを有している。電子部品２９は、本形態においてはノイズフィルタのために既知のコンデンサが用いられているが、この他の用途に応じてダイオードや抵抗を用いてもよいものとする。
【００４９】
次に、上記構成に基づいて、カバー組付電線２４の組み付け、ユニット本体２５の組み付け、電子部品内蔵ユニット２２の組み付け、及び電子部品内蔵ユニット２２の取り付けについて説明する。
【００５０】
カバー組付電線２４に関しては、先ず、所望の位置となる電線２１の中間２３において、電線２１の被覆部を所定の範囲で除去し導体を露出させ、この露出させた導体に電線側端子２６を接続する作業を行う。次に、底部分３５側から電線側端子２６をカバー部材２７の内部に挿入して電線側端子２６を係止させる作業を行う。この時、電線２１は、一対のＵ字状の電線支持部４９と、第一の電線位置決めリブ５０と、第二の電線位置決めリブ５２とにより、位置ズレなくカバー部材２７の内部に収納される。電線側端子２６をカバー部材２７に対して係止させると、カバー組付電線２４に関しての組み付けが完了する。
【００５１】
電線側端子２６は、カバー部材２７の電線収納部４７に収納されるとともに、カバー部材２７により保護される。電線２１は、カバー部材２７の電線支持部５１に支持される。また、電線２１は、第一の電線位置決めリブ５０と第二の電線位置決めリブ５２とにより位置ズレのない状態でカバー部材２７の内部に収納される。カバー組付電線２４は、電線２１の水平状態を保った形状でこの組み付けが完了する。
【００５２】
ユニット本体２５に関しては、先ず、ケース２８の電子部品収納凹部５４に電子部品２９の本体８６を収納するとともに、電子部品２９のリード６６、６７の中間をリード支持部６３、６４に差し込みつつ、リード６６、６７の各先端側を嵌合接続凹部５５の底に載置して位置決めする作業を行う。次に、嵌合接続凹部５５の所定位置に中継端子３０とアース端子３１の接続脚部７７とをそれぞれ取り付ける。この時、アース端子３１の基部７６は電子部品２９の本体８６を収納した電子部品収納凹部５４を覆いつつケース２８に嵌合する。続いて、中継端子３０及び接続脚部７７にそれぞれ溶接を施し、凸形状の各溶接部８２、７２とリード６６、６７とを固定する作業を行う。これにより、ユニット本体２５に関しての組み付け作業が完了する。
【００５３】
カバー組付電線２４の組み付け及びユニット本体２５の組み付けの完了後、カバー組付電線２４をユニット本体２５の嵌合接続凹部５５に嵌合させるとともに、これと同時に電気的な接続状態を形成する作業を行う。これにより、電子部品内蔵ユニット２２の組み付け作業が完了する。尚、嵌合接続凹部５５にカバー組付電線２４が嵌合する過程において、電線２１の位置がカバー部材２５の内部で仮にズレていたとしても、或いは、嵌合の過程でズレが生じたとしても、このズレは嵌合接続凹部５５に形成された電線位置矯正リブ６９によって矯正される。具体的には、カバー組付電線２４が嵌合接続凹部５５に嵌合すると、第二の電線位置決めリブ５２よりも電線位置矯正リブ６９の方が電線２１側に突出（電線位置矯正リブ６９をこのような形状に形成する）し、これにより電線２１に対する矯正がなされる（図７参照）。電線２１は、電線位置矯正リブ６９によってタブ接続部６８から遠ざけられることになる。従って、電線２１は中継端子３０（タブ接続部６８）に接触することはない。
【００５４】
以上、図１ないし図７を参照しながら説明してきたように、本発明によれば、電線２１の位置決めがなされ、また、電線位置の矯正もなされることから、電線傷を防止することができるという効果を奏する。
【００５５】
その他、本発明は本発明の主旨を変えない範囲で種々変更実施可能なことは勿論である。
【図面の簡単な説明】
【００５６】
【図１】本発明の電子部品内蔵ユニットの一実施の形態を示す斜視図である。
【図２】電子部品内蔵ユニットの構成を示す分解斜視図である。
【図３】カバー組付電線の斜視図である。
【図４】ユニット本体の斜視図である。
【図５】カバー組付電線が嵌合接続凹部に嵌合する過程においての電線位置決めリブと電線位置矯正リブとを示す断面図である。
【図６】カバー組付電線が嵌合接続凹部に嵌合した状態のユニット本体の縦断面図である。
【図７】カバー組付電線が嵌合接続凹部に嵌合した状態のユニット本体の横断面図である。
【図８】従来例の電子部品内蔵ユニットの分解斜視図である。
【符号の説明】
【００５７】
２１  電線
２２  電子部品内蔵ユニット
２３  中間
２４  カバー組付電線
２５  ユニット本体
２６  電線側端子
２７  カバー部材
２８  ケース
２９  電子部品
３０  中継端子
３１  アース端子
３２  クランプ
３５  底部分（底）
３８  基部
３９  接続タブ
４０  係止部
４３  位置決め壁
４９  電線支持部
５０  第一の電線位置決めリブ
５１  壁差込溝
５２  第二の電線位置決めリブ
５３  膨出部
５４  電子部品収納凹部
５５  嵌合接続凹部
５６  底壁
６１  電線支持部
６３、６４  リード支持部
６５  膨出部
６６、６７  リード
６８  タブ接続部
６９  電線位置矯正リブ
７５  アース部
７６  基部
７７  接続脚部
【図１】
0005079420.tif 000002
【図２】
0005079420.tif 000003
【図３】
0005079420.tif 000004
【図４】
0005079420.tif 000005
【図５】
0005079420.tif 000006
【図６】
0005079420.tif 000007
【図７】
0005079420.tif 000008
【図８】
0005079420.tif 000009